(57)【要約】【課題】家庭用のプリンタで、自分だけの暗号化文書をプリンタ内のＨＤに保存し、プリンタのパネル、あるいは、ＰＣ、あるいは、携帯電話からのパスワード入力で、印刷できるようにするが、プリンタの故障時、交換したプリンタに対し、暗号化文書を復帰させることを目的とする。【解決手段】家庭内で、情報家電に暗号化文書を定期的に保存しておき、プリンタ故障時には、新しい置き換えのプリンタを設置した時点で、自動的に、情報家電内の暗号化文書をプリンタメーカーに送って、プリンタメーカーのサーバ上で復号化し、さらに、新しいプリンタ用に暗号化してから、新しいプリンタに、作り変えた暗号化文書をセットし、さらにまた新しい暗号化文書も、プリンタのパネル、あるいは、ＰＣ、あるいは、携帯電話からのパスワード入力で印刷実行する。【選択図】        図１
2006209312.tif 000002
【特許請求の範囲】
【請求項１】
ユーザーの携帯電話、あるいは、ＰＣ、プリンタ、情報家電、プリンタメーカーのサーバ、で構成された印刷システムにおいて、
ユーザーの携帯電話、あるいは、ＰＣとプリンタを、ＬＡＮ、あるいは、インターネットで接続する手段、
ユーザーの携帯電話、あるいは、ＰＣとプリンタメーカーのサーバを、インターネットで接続する手段、
プリンタと情報家電をＬＡＮで接続する手段、
プリンタとプリンタメーカーのサーバをインターネットで接続する手段、
ユーザーの携帯電話、あるいは、ＰＣにおいては、
プリンタに対し、プリンタ内への保存を指示した上で、文書ファイルをプリントコマンドに変換した文書データを、パスワード付でプリンタに送信する手段、
プリンタに対し、プリンタ内に保存してある特定の文書データについて、パスワード付きで印刷を指示する手段、
プリンタメーカーのサーバに対し、新しいプリンタのユーザー登録を行う手段、
上記ユーザー登録の際には、新プリンタのシリアル番号を送信する手段、
上記ユーザー登録の際には、旧プリンタから新プリンタへの置き換えの場合、「プリンタの置き換え」であることを送信する手段、
プリンタにおいては、
ユーザーの携帯電話、あるいは、ＰＣから保存を指示された文書データを、パスワード付で受信する手段、
上記受信した文書データをパスワード付で暗号化する手段、
上記暗号化した文書データをプリンタ内に保存する手段、
ユーザーからの、保存した特定の文書データの印刷指示を、プリンタのパネル経由、あるいは、ユーザーの携帯電話、あるいは、ＰＣ経由で、パスワード付で受け取る手段、
暗号化した文書データのパスワード部分を復号化する手段、
パスワードが一致したなら、印刷を指示された特定の保存文書データ本体を復号化する手段、
上記復号化した文書データを印刷する手段、
プリンタ内に暗号化して保存してあるパスワード付文書データのバックアップ指示を、情報家電に送信する手段、
上記バックアップの指示の際には、プリンタのシリアル番号も情報家電に送信する手段、
プリンタメーカーのサーバから、旧プリンタのシリアル番号付で暗号化された文書データのリストアの指示が届いた場合は、情報家電に対し、旧プリンタのシリアル番号付で暗号化された文書データのピックアップの指示を行う手段、
情報家電から暗号化された文書データが届いたら、プリンタメーカーのサーバに送信する手段、
プリンタメーカーのサーバから、暗号化方法を変換した文書データが届いたら、プリンタ内に保存する手段、
情報家電においては、
プリンタからバックアップを指示された暗号化された文書データを受信し、プリンタのシリアル番号付で保存する手段、
プリンタから、旧プリンタのシリアル番号付きで、暗号化された文書データのピックアップ指示が届いたら、そのシリアル番号のついた、保存してある暗号化された文書データをすべてプリンタに送信する手段、
プリンタメーカーのサーバにおいては、
ユーザーの携帯電話、あるいは、ＰＣから、新しいプリンタのユーザー登録を受け付ける手段、
上記ユーザー登録の際には、新しいプリンタのシリアル番号を受け付ける手段、
上記ユーザー登録のデータを記録する手段、
上記ユーザー登録の際には、旧プリンタから新プリンタへの置き換えかどうかを受け付ける手段、
上記で、旧プリンタから新プリンタへの置き換えである場合は、プリンタに対し、情報家電にバックアップされている暗号化された文書データのリストアを指示する手段、
上記指示の際には、以前のユーザー登録の際に記録してある旧プリンタのシリアルナンバーを、プリンタに送信する手段、
旧プリンタの暗号化された文書データを、新プリンタから受信する手段、
旧プリンタの復号化方法を特定する手段、
旧プリンタの暗号化された文書データを復号化する手段、
新プリンタの暗号化方法を特定する手段、
上記復号化した旧プリンタの文書データを、新プリンタの暗号化方法で暗号化する手段、
上記新規に暗号化した文書データを、新プリンタに送信する手段、
で構成されたことを特徴とする、印刷システム。
【請求項２】
請求項１記載の印刷システムにおいて、
プリンタメーカーのサーバにおける、
旧プリンタから新プリンタへの置き換えである場合は、プリンタに対し、情報家電にバックアップされている暗号化された文書データのリストアを指示する手段の代わりに、
ユーザーの携帯電話、あるいは、ＰＣからプリンタに対し、旧プリンタのシリアル番号付きで、情報家電にバックアップされている暗号化された文書データのリストアを指示する手段を設け、
請求項１でのプリンタにおける、
プリンタメーカーのサーバから、旧プリンタのシリアル番号付で暗号化された文書のリストアの指示が届いた場合は、情報家電に対し、旧プリンタのシリアル番号付で暗号化された文書データのピックアップの指示を行う手段の代わりに、
ユーザーの携帯電話、あるいは、ＰＣから、旧プリンタのシリアル番号付で暗号化された文書のリストアの指示が届いた場合は、情報家電に対し、旧プリンタのシリアル番号付で暗号化された文書データのピックアップの指示を行う手段、
を設けたことを特徴とする、印刷システム。
【請求項３】
ユーザーの携帯電話、あるいは、ＰＣ、プリンタ、情報家電、で構成された印刷システムにおいて、
ユーザーの携帯電話、あるいは、ＰＣとプリンタを、ＬＡＮ、あるいは、インターネットで接続する手段、
プリンタと情報家電をＬＡＮで接続する手段、
上記ＬＡＮ上は、ネットワーク自身の機能として、データを暗号化して送受信を行う手段、
ユーザーの携帯電話、あるいは、ＰＣにおいては、
プリンタに対し、プリンタ内への保存を指示した上で、文書ファイルをプリントコマンドに変換した文書データを、パスワード付きでプリンタに送信する手段、
プリンタに対し、プリンタ内に保存してある特定の文書データについて、パスワード付きで印刷を指示する手段、
プリンタに対し、情報家電にバックアップされている暗号化された文書データのリストアを指示する手段、
上記指示の際には、記録してある旧プリンタのシリアルナンバーをプリンタに送信する手段、
プリンタにおいては、
ユーザーの携帯電話、あるいは、ＰＣから保存を指示された文書データを、パスワード付で受信する手段、
上記受信した文書データをパスワード付で暗号化する手段、
上記暗号化した文書データをプリンタ内に保存する手段、
ユーザーからの、保存した文書データの印刷指示を、プリンタのパネル経由、あるいは、ユーザーの携帯電話、あるいは、ＰＣ経由で、パスワード付で受け取る手段、
暗号化した文書データのパスワード部分を復号化する手段、
暗号化した文書データ本体を復号化する手段、
パスワードが一致したなら、印刷を指示された保存文書データ本体を復号化する手段、
上記復号化した文書データを印刷する手段、
プリンタ内に暗号化して保存してあるパスワード付文書データのバックアップ指示を、情報家電に送信する手段、
上記バックアップの指示の際には、プリンタのシリアル番号も情報家電に送信する手段、
バックアップの際には、保存してあるパスワード付暗号化された文書データを、復号化してから情報家電に送信する手段、
ユーザーの携帯電話、あるいは、ＰＣから、旧プリンタのシリアル番号付で情報家電内にバックアップされている文書データのリストアの指示が届いた場合は、情報家電に対し、旧プリンタのシリアル番号付で文書データのピックアップの指示を行う手段、
情報家電から文書データが届いたら、プリンタの暗号化手段で文書データを暗号化し、保存する手段、
情報家電においては、
文書データを暗号化する手段、
文書データを復号化する手段、
プリンタからバックアップを指示された文書データを受信し、上記暗号化手段で文書データを暗号化したあと、プリンタのシリアル番号付で保存する手段、
プリンタから、旧プリンタのシリアル番号付きで、文書データのピックアップ指示が届いたら、そのシリアル番号のついた、保存してあるすべての暗号化された文書データを、復号化してプリンタに送信する手段、
で構成されたことを特徴とする、印刷システム。
【発明の詳細な説明】
【技術分野】
【０００１】
本発明は、家庭用等のプリンタで、暗号化された文書データをプリンタ内に保存し、プリンタのパネル、あるいは、ユーザーの携帯電話やＰＣから、パスワードを入力して印刷できるようにしたプリンタであって、プリンタが故障し新規のプリンタに置き替える際に、その暗号化した保存文書をバックアップ、リストアすることを可能にした印刷システムに関するものである。
【背景技術】
【０００２】
従来、会社や事務所で使用する業務用のプリンタやＭＦＰとしては、「ボックス」等の名称でＨＤＤ内に、文書ファイルをプリントコマンドに変換した文書データの形で保存する領域を持っていた。
【０００３】
上記で「文書ファイル」とは、パソコン上の文書編集アプリケーション等で作成する文書ファイルのことである。通常はパソコン上のプリンタドライバプログラムによりプリントコマンドに変換され、そのままプリンタに送信されて印刷が行われる。
【０００４】
上記では印刷は行わずに、文書ファイルをプリントコマンドに変換したデータを「文書データ」として、プリンタ内の「ボックス」に保存する。なお、文書データも、実際には、プリンタドライバプログラムが作成する。
【０００５】
「ボックス」の使用方法としては、まず、ユーザーが、会社や事務所のＰＣから、パスワード付きで上記文書データを「ボックス」に保存しておいて、あとで、ユーザーが、上記プリンタやＭＦＰのパネルからパスワードを入力して、「ボックス」内の特定の文書データの印刷を指示して、印刷実行していた。ＬＡＮ経由で、プリンタやＭＦＰのＨＤＤに直接アクセスすることはできない構造になっているので、文書データそのものをネットワーク上から盗み出すことはできないが、ＨＤＤそのものをはずして盗み出せば、内蔵の文書データをそのまま取り出し、印刷することは可能であった。
【０００６】
上記盗難の対抗策として、ＨＤＤ内の文書データを、プリンタやＭＦＰ内の暗号化チップを使って暗号化しておくことは容易に考えられる。つまり、ＨＤＤそのものがはずされて盗み出されたとしても、内部の文書データは暗号化されているので、そのままでは読めない状態なので安全である。
【０００７】
家庭用のプリンタで、ＨＤＤ付で、内部に「ボックス」等の文書保存機能を持った製品は、現状は見当たらないが、技術的には可能であることは明らかである。例えば、家族で１台のプリンタを共有すること考えると、家族の他のメンバーには秘密の重要文書を、家族の各メンバーごとに別々のパスワードをつけて、プリンタ内の暗号化チップで暗号化して、プリンタ内に保存しておく。その場合、上記暗号化チップは、プリンタの１台ごとに固有の設定になっている。そして、家族の各メンバーが必要に応じて、プリンタのパネル、あるいは、ユーザーの携帯電話やＰＣからパスワードを入力して、プリンタに印刷を指示する、という形になる。なお、家庭内のＬＡＮ経由で、上記「ボックス」内の重要文書を電子的に取り出そうとしてもできないことは、業務用のプリンタやＭＦＰと同様である。
【特許文献１】特開平１１−２６１７８４号公報
【発明の開示】
【発明が解決しようとする課題】
【０００８】
上述の家庭用のプリンタの例では、プリンタには、その個体特有の暗号化・復号化チップが搭載されており、通常では、故障時に、内部の「ボックス」の中身を含めた、その製品の置き換えはできない。つまり、故障時には、内部の「ボックス」に保存されていた暗号化された文書データは失われてしまう。
【０００９】
そこで、課題の第１は、家庭内でプリンタが故障して、新規のプリンタに置き換えた場合にも、旧プリンタ内に保存されていた暗号化された文書データを復帰させることである。
【００１０】
課題の第２は、上記第１の課題を解決する方法として、ユーザーにバックアップ先、リストア先、等を意識させない簡単な手続きで、暗号化された文書データを新プリンタに復帰させることである。
【００１１】
課題の第３は、旧プリンタで使用していたパスワードで印刷を指示することで、新プリンタでも暗号化された文書データを印刷実行できることである。
【課題を解決するための手段】
【００１２】
上述した課題を解決するために、本発明では、まず、家庭内のプリンタはインターネット直結が前提であり、一方、プリンタと情報家電は家庭内ＬＡＮで接続されている。
【００１３】
その上で、ユーザーが、携帯電話、あるいは、ＰＣからプリンタに保存する文書データを、パスワード付きでプリンタに送信すると、プリンタは、内蔵の暗号化チップを用いて、送信されてくる文書データを暗号化して、内蔵のＨＤＤ等の大容量の外部記憶装置に保存する。そして、プリンタ内に保存されている暗号化された文書データを、定期的に情報家電にバックアップしておく。このバックアップは、プリンタのシリアル番号付で実行される。
【００１４】
プリンタが故障して、新しい置き換えのプリンタが到着した場合には、ユーザーがプリンタをインターネットやＬＡＮに接続後、ユーザーは自分のＰＣからプリンタメーカーのサーバにユーザー登録するが、その際、プリンタの「置き換え」であることを明示すると、プリンタメーカーのサーバは、インターネット経由で、直接新しいプリンタに対し、情報家電内にバックアップされている旧プリンタの暗号化された文書データを、新プリンタ経由でプリンタメーカーのサーバに送信するよう指示する。その際、プリンタメーカーのサーバから新プリンタに対し、以前にユーザー登録した際に記録されている、旧プリンタのシリアル番号も送信する。これにより、情報家電内の文書データのうち、旧プリンタに関係する文書データのみ、ピックアップできる。
【００１５】
プリンタメーカーのサーバは、新プリンタ経由で届いた旧プリンタの暗号化された文書データを復号化し、さらに、新プリンタ用に再度暗号化してから、新プリンタに暗号化された文書データをセットする。
【００１６】
つまり、ユーザーにとっては、故障したプリンタを新プリンタに置き換えたあとにユーザー登録するだけで、旧プリンタの暗号化された文書データを新プリンタに移し変えることができる。
【００１７】
新しい暗号化された文書データも、新プリンタのパネル、あるいは、ユーザーの携帯電話やＰＣからのパスワード指示で印刷実行できることは、旧プリンタの場合と同様である。パスワード自体も、旧プリンタの時に使用していたものと同一である。
【００１８】
なお、上記の、プリンタメーカーのサーバ内における暗号化の変換作業は、プリンタメーカーのサーバには、販売したプリンタの１台１台の暗号化・復号化チップの設定が、すべて記録されていることが前提となる。
【００１９】
本発明では以上の方法を用いて、上述した第１の課題、第２の課題、第３の課題、を同時に解決する。
【００２０】
なお、上記における情報家電とは、具体的な例としては、大容量のＨＤＤを搭載したＨＤＤレコーダー等を指している。
【００２１】
また、１台の情報家電だけに暗号化された文書データを保存しておくだけでは不安がある場合は、複数の情報家電に分散して暗号化された文書データを多重に保存しておくことも考えられる。
【００２２】
ところで、上記では、ユーザーの携帯電話、あるいは、ＰＣから、プリンタメーカーのサーバに対して行う、新プリンタのユーザー登録が、旧プリンタの暗号化された文書データを新プリンタに移し変えるきっかけになっているが、ユーザーの携帯電話、あるいは、ＰＣから直接プリンタに対して、旧プリンタの暗号化された文書データを新プリンタに移し変える指示をしても良い。ただし、この場合も、旧プリンタ用の暗号化された文書データから新プリンタ用の暗号化された文書データに変換するのは、プリンタメーカーのサーバである。
【００２３】
一方、別の方法も考えられる。上記では、プリンタには暗号化・復号化チップを持っているが、情報家電にも暗号化・復号化チップを持ち、また、プリンタと情報家電をつなぐ家庭内ＬＡＮ等のネットワーク自体にも、暗号化機能を持っていると仮定すると、暗号化・復号化は、それぞれの機器の中、ネットワークのケーブルの中の閉じた世界で、完結した形になるので、上述した「プリンタメーカーのサーバの中で、旧プリンタの暗号化された文書データを復号化し、新プリンタ用に再度暗号化する」作業は不要となる。プリンタメーカーのサーバ自体が不要である。
【００２４】
この場合、ユーザーの携帯電話、あるいは、ＰＣから直接プリンタに対して、旧プリンタの文書データを新プリンタに移し変える指示を行うことになる。
【００２５】
なお、さらに説明すれば、本発明の第一の発明について下記のように示す。
【００２６】
（１）ユーザーの携帯電話、あるいは、ＰＣ、プリンタ、情報家電、プリンタメーカーのサーバ、で構成された印刷システムにおいて、
ユーザーの携帯電話、あるいは、ＰＣとプリンタを、ＬＡＮ、あるいは、インターネットで接続する手段、
ユーザーの携帯電話、あるいは、ＰＣとプリンタメーカーのサーバを、インターネットで接続する手段、
プリンタと情報家電をＬＡＮで接続する手段、
プリンタとプリンタメーカーのサーバをインターネットで接続する手段、
ユーザーの携帯電話、あるいは、ＰＣにおいては、
プリンタに対し、プリンタ内への保存を指示した上で、文書ファイルをプリントコマンドに変換した文書データを、パスワード付でプリンタに送信する手段、
プリンタに対し、プリンタ内に保存してある特定の文書データについて、パスワード付きで印刷を指示する手段、
プリンタメーカーのサーバに対し、新しいプリンタのユーザー登録を行う手段、
上記ユーザー登録の際には、新プリンタのシリアル番号を送信する手段、
上記ユーザー登録の際には、旧プリンタから新プリンタへの置き換えの場合、「プリンタの置き換え」であることを送信する手段、
プリンタにおいては、
ユーザーの携帯電話、あるいは、ＰＣから保存を指示された文書データを、パスワード付で受信する手段、
上記受信した文書データをパスワード付で暗号化する手段、
上記暗号化した文書データをプリンタ内に保存する手段、
ユーザーからの、保存した特定の文書データの印刷指示を、プリンタのパネル経由、あるいは、ユーザーの携帯電話、あるいは、ＰＣ経由で、パスワード付で受け取る手段、
暗号化した文書データのパスワード部分を復号化する手段、
パスワードが一致したなら、印刷を指示された特定の保存文書データ本体を復号化する手段、
上記復号化した文書データを印刷する手段、
プリンタ内に暗号化して保存してあるパスワード付文書データのバックアップ指示を、情報家電に送信する手段、
上記バックアップの指示の際には、プリンタのシリアル番号も情報家電に送信する手段、
プリンタメーカーのサーバから、旧プリンタのシリアル番号付で暗号化された文書データのリストアの指示が届いた場合は、情報家電に対し、旧プリンタのシリアル番号付で暗号化された文書データのピックアップの指示を行う手段、
情報家電から暗号化された文書データが届いたら、プリンタメーカーのサーバに送信する手段、
プリンタメーカーのサーバから、暗号化方法を変換した文書データが届いたら、プリンタ内に保存する手段、
情報家電においては、
プリンタからバックアップを指示された暗号化された文書データを受信し、プリンタのシリアル番号付で保存する手段、
プリンタから、旧プリンタのシリアル番号付きで、暗号化された文書データのピックアップ指示が届いたら、そのシリアル番号のついた、保存してある暗号化された文書データをすべてプリンタに送信する手段、
プリンタメーカーのサーバにおいては、
ユーザーの携帯電話、あるいは、ＰＣから、新しいプリンタのユーザー登録を受け付ける手段、
上記ユーザー登録の際には、新しいプリンタのシリアル番号を受け付ける手段、
上記ユーザー登録のデータを記録する手段、
上記ユーザー登録の際には、旧プリンタから新プリンタへの置き換えかどうかを受け付ける手段、
上記で、旧プリンタから新プリンタへの置き換えである場合は、プリンタに対し、情報家電にバックアップされている暗号化された文書データのリストアを指示する手段、
上記指示の際には、以前のユーザー登録の際に記録してある旧プリンタのシリアルナンバーを、プリンタに送信する手段、
旧プリンタの暗号化された文書データを、新プリンタから受信する手段、
旧プリンタの復号化方法を特定する手段、
旧プリンタの暗号化された文書データを復号化する手段、
新プリンタの暗号化方法を特定する手段、
上記復号化した旧プリンタの文書データを、新プリンタの暗号化方法で暗号化する手段、
上記新規に暗号化した文書データを、新プリンタに送信する手段、
で構成されたことを特徴とする、印刷システム。
【発明の効果】
【００２７】
本発明では、プリンタ内の暗号化された文書データを、定期的に、家庭内ＬＡＮに接続されている情報家電にバックアップしておき、故障等によって旧プリンタが新プリンタに置き換えられた場合は、情報家電内の旧プリンタの暗号化された文書データをプリンタメーカーのサーバに送信して、新プリンタ用の暗号化された文書データに変換してから新プリンタにセットする。以上により、第１の課題を解決することができる。
【００２８】
また、新プリンタに置き換えた際に、ユーザーがプリンタメーカーのサーバに対し、「置き換え」であることを明示した上でユーザー登録する作業をきっかけとして、旧プリンタの暗号化された文書データを新プリンタに移し変えるので、ユーザーにとって、バックアップ先、リストア先を意識する必要はない。以上により、第２の課題を解決することができる。
【００２９】
そして、プリンタ内で文書データを暗号化する際には、文書の印刷を指示する際に用いるパスワードを含めて暗号化して保存するので、旧プリンタから新プリンタに暗号化された文書データを移し変えた後でも、旧プリンタで用いたパスワードをそのまま使用して、文書データの印刷を実行でき、第３の課題を解決することができる。
【００３０】
以上により、第１の課題、第２の課題、第３の課題を同時に解決できるという効果がある。
【発明を実施するための最良の形態】
【００３１】
以下本発明を実施するための最良の形態を、実施例により詳しく説明する。
【実施例１】
【００３２】
次に図を用いて第１の実施例を説明する。
【００３３】
図１は、原理の説明図である。
【００３４】
前提として、ユーザーの携帯電話、あるいは、ＰＣ１と家庭内のプリンタ２は、インターネット、あるいは、家庭内ＬＡＮで接続され、プリンタ２と情報家電３は家庭内ＬＡＮで接続されている。また、プリンタメーカーのサーバ５と、プリンタ２、あるいは、ユーザーの携帯電話やＰＣ１とは、インターネットで接続されている。また、家庭内のプリンタ２は、プリンタメーカーのサーバ５にユーザー登録されていて、プリンタのシリアル番号もサーバ内に記録されている。
【００３５】
まず、ユーザーが携帯電話、あるいは、ＰＣ１からプリンタ２に対して文書データの保存を指示し、文書データを送信する。その際、あとで特定の文書データの印刷を指示する際に必要となるパスワードも送信する。
【００３６】
上記における「文書データ」とは、ＰＣ１上の文書編集アプリケーションで作成した文書ファイルを、プリンタドライバでプリントコマンドに変換したデータを意味している。
【００３７】
プリンタ２には、１台１台設定が異なる暗号化・復号化チップ１６が搭載されており、ユーザーの携帯電話、あるいは、ＰＣ１から送信されてきた文書データ、パスワードを、暗号化してから、内蔵のＨＤＤ１７に保存する。
【００３８】
その後、ユーザーが、プリンタ２のパネル１８、あるいは、携帯電話やＰＣ１からパスワードを入力する形で、保存されている特定の文書データの印刷を指示してきた場合は、プリンタ２内でパスワードが一致しているか判断し、一致していたなら、暗号化されている文書データを復号化してから、文書データの印刷を実行する。この復号化にも、復号化チップ１６を使用する。
【００３９】
ＨＤＤ１７内に保存されている暗号化された文書データは、定期的に、家庭内にある情報家電３にバックアップされる。ここにおける情報家電３とは、具体的には、大容量のＨＤＤ等の外部記憶装置を内蔵している、ＨＤＤレコーダー等を指している。バックアップされる暗号化された文書データには、上述した、あとで印刷するときの確認用のパスワード情報も含まれるが、プリンタ２のシリアル番号も同時に記録される。
【００４０】
プリンタ２が故障して、プリンタ自身を新規に置き換える事態が発生すると、ユーザーが、新規のプリンタ４を情報家電３とＬＡＮ接続し、プリンタメーカーのサーバ５ともインターネット接続可能な状態にしたあと、ユーザーの携帯電話、あるいは、ＰＣ１からインターネット経由で、プリンタメーカーのサーバ５に新プリンタ４をユーザー登録する。このとき、新プリンタ４のシリアル番号をプリンタメーカーのサーバ５に知らせることは当然として、新プリンタ４が旧プリンタ２の置き換えであることを明示する。
【００４１】
すると、プリンタメーカーのサーバ５は、新プリンタ４に対し、情報家電３内にバックアップされている旧プリンタ２の暗号化された文書データをリストアすることを指示する。その際、以前のユーザー登録の際に記録されている旧プリンタ２のシリアル番号も、新プリンタ４に送信する。
【００４２】
新プリンタ４は、情報家電３に対し、旧プリンタ２のシリアル番号を送信して旧プリンタ２の暗号化された文書データをピックアップすることを指示する。そのあと、情報家電３から送られてくる旧プリンタの暗号化された文書データは、そのままプリンタメーカーのサーバ５に送信する。
【００４３】
プリンタメーカーのサーバ５は、旧プリンタ２の復号化の方法を特定して、旧プリンタ２の暗号化された文書データを復号化し、新プリンタ４の暗号化方法を特定して、文書データを新プリンタ４用の暗号化方法で暗号化してから、新プリンタ４に送信する。
【００４４】
新プリンタ４は、プリンタメーカーのサーバ５から送られてきた変換された暗号化された文書データを、内蔵のＨＤＤ１７に保存する。
【００４５】
その後、ユーザーが、プリンタのパネル１８、あるいは、携帯電話やＰＣ１からパスワードを入力する形で、保存されている特定の文書データの印刷を指示してきた場合は、新プリンタ４内でパスワードが一致しているか判断し、一致していたなら、暗号化されている文書データを、プリンタに内蔵されている復号化チップ１６で復号化してから、文書データの印刷を実行する。この場合のパスワードは、旧プリンタ２で印刷を指示した場合のパスワードと同じであるので、ユーザーにとって新旧プリンタ２、４の入れ替えは、特に意識する必要がない。
【００４６】
図２はプリンタ２、４のブロック構成図である。図１で示した旧プリンタ２、新プリンタ４とも、同一の構造を持っている。
【００４７】
プリンタ２、４は、コントローラ部１１とエンジン部１２に分かれているが、コントローラ部１１は、パソコン等からのプリントコマンドを受信して、プリントコマンドからページイメージを作成し、そのページイメージをビデオ信号に変換してエンジン部１２に送信して、ページの印刷を実行させることを基本としている。エンジン部１２は、コントローラ部１１からのページイメージのビデオ信号を受信し、コントローラ部１１の指示に従って、用紙へのページイメージの転写、現像、定着、排紙を実行する。
【００４８】
コントローラ部１１を構成する要素の詳細は次のとおり。１３はコントローラ部１１全体を制御するＣＰＵ、１４はコントローラファームプログラムの入っているＲＯＭ、１５はＲＡＭである。ＲＡＭ１５は各種プログラムが動作する際のワーク領域として使用される。受信したプリントコマンドは、ＲＡＭ１５内に設けられた受信バッファに一時保管され、受信バッファ内のプリントコマンドをもとに描画・生成されるページイメージも、ＲＡＭ１５上に作成される。
【００４９】
１６は暗号化・復号化チップであり、ＨＤＤ１７内に文書データを保存するときに暗号化を行い、また、ＨＤＤ１７内に保存されている暗号化された文書データをユーザーからの指示で印刷しようとするときに復号化を行う。暗号化・復号化チップ１６は、プリンタ２、４の１台１台で異なる設定がなされている。
【００５０】
１７は、大容量の外部記憶装置としてのＨＤＤであって、上述したようにユーザーの指示で文書データを保存しておき、あとで、ユーザーの指示で特定の文書データをＨＤＤ１７から取り出して印刷する。
【００５１】
１８はパネルインターフェースであって、ユーザーが液晶表示を見ながら、キーを用いてプリンタ２の設定を行うことができる。また、ＨＤＤ１７内に保存されている特定の文書データを指定して、印刷を指示する際にも用いる。このとき、パネル１８から、パスワードを入力する。
【００５２】
１９は、プリンタ２，４の各種設定等を記憶しておくための不揮発性メモリ（以下、ＮＶＲＡＭと呼ぶ）である。
【００５３】
２０はコントローラ側通信部で、このモジュールを通じてエンジン部１２の制御や、状態取得を行うことができる。
【００５４】
２１はビデオ信号変換部で、ＲＡＭ１５上に作成されたページイメージをビデオ信号に変換してエンジン部１２に送信する。
【００５５】
２２はインターネット接続部で、ここを通じて、インターネット網と直接接続している。
【００５６】
２３は外部インターフェース部で、パソコン等ホストマシンからのプリントコマンドを受信し、ＲＡＭ１５上の受信バッファにセットする役目を持つ。具体的なインターフェースは、ネットワーク（ＬＡＮ）インターフェース、ＵＳＢインターフェース、セントロニクスインターフェース、ブルートゥースインターフェース等である。プリンタ２、４と情報家電３は、ＬＡＮによって接続されている。
【００５７】
ユーザーの携帯電話、あるいは、ＰＣ１とプリンタ２、４は、上記インターネット接続部２２、あるいは、ＬＡＮを含めた外部インターフェース部２３、あるいはその両方で接続されている。ユーザーの携帯電話、あるいは、ＰＣ１からは、通常の文書の印刷指示以外に、文書データのプリンタ２、４内への保存や、保存している文書データの印刷の指示、が、プリンタ２、４に届く。
【００５８】
エンジン部１２を構成する構成要素の詳細は次のとおり。２４はエンジン部１２全体を制御するＣＰＵであり、２５はエンジン部１２の制御プログラムが入っているＲＯＭ、２６は制御プログラムが動作する際のワーク領域としてのＲＡＭである。
【００５９】
２７はコントローラ部１１と通信するためのエンジン側通信部である。エンジン側通信部２７は、コントローラ部１１からの給紙指示等の制御コマンドを受け取ることと、エンジン部１２の状態をコントローラ部１１に知らせるコマンドを送信する役目を持つ。
【００６０】
２８は、コントローラ部１１から送られてくるページイメージのビデオ信号を受信するためのビデオ信号受信部であって、ビデオ信号は３０の現像・定着部に送られ、レーザーを利用した電子写真機構によってページイメージが用紙に転写・定着される。
【００６１】
２９は白紙の用紙を給紙する給紙部、３０は前述の現像・定着部、３１は現像・定着後の用紙の排紙を行う排紙部である。
【００６２】
図３は、第１の実施例の、ユーザーの携帯電話、あるいは、ＰＣ１の動作を説明するフローチャートである。
【００６３】
携帯電話やＰＣ１は、電源オンすると動作を開始するが、まず、ステップＳ１で、ユーザーが電源オフしたかチェックし、ＹＥＳなら、すべての動作を終了する。ＮＯなら、ステップＳ２で、ユーザーからプリンタ２、４への文書データ保存の指示があったかチェックし、ＹＥＳなら、ステップＳ３で、パスワードをつけて保存文書データをプリンタ２、４に送信する。この場合の保存文書データは、プリンタ２、４に送信される段階では、ユーザーの携帯電話、あるいは、ＰＣ１内のプリンタドライバプログラムの働きで、プリントコマンドに変換された形になっている。プリントコマンドは、プリンタ２、４が直接コマンドを解釈して印刷実行できる形式になっている。つまり、ユーザーのＰＣ１内で、文書アプリケーションを使用して編集を行う文書ファイルそのものを、プリンタ２、４に送信するわけではない。
【００６４】
ステップＳ３のあとは、ステップＳ１の直前に戻り、最初からの動作を繰り返す。
【００６５】
ステップＳ２でＮＯの場合は、ステップＳ４で、ユーザーから通常の印刷の指示があったかチェックし、ＹＥＳなら、ステップＳ５で、プリンタドライバプログラムの働きにより文書データからプリントコマンドを作成し、プリンタ２、４に送信し、印刷を実行する。
【００６６】
ステップＳ５のあとは、ステップＳ１の直前に戻り、最初からの動作を繰り返す。
【００６７】
ステップＳ４でＮＯなら、ステップＳ６で、ユーザーが新プリンタ４のユーザー登録を指示したかチェックし、ＹＥＳならステップ７で、プリンタメーカーのサーバ５に新プリンタ４をシリアル番号付きで登録する。また、新プリンタ４が旧プリンタ２からの置き換えの場合は、「置き換え」であることも登録する。
【００６８】
ステップＳ７のあとは、ステップＳ１の直前に戻り、最初からの動作を繰り返す。
【００６９】
ステップＳ６でＮＯの場合は、ステップＳ８でその他の詳細動作を実行し、その後は、ステップＳ１の直前に戻り、最初からの動作を繰り返す。
【００７０】
図４は、プリンタ２、４の動作を説明するためのフローチャートである。
【００７１】
プリンタ２、４も、電源オンと同時に動作を開始する。まず、ステップＳ１１で、ユーザーが電源オフしたかチェックし、ＹＥＳなら、すべての動作を終了する。ＮＯなら、ステップＳ１２で、ユーザーの携帯電話、あるいは、ＰＣ１から、文書データ保存の指示があったかチェックし、ＹＥＳなら、ステップＳ１３で、ユーザーの携帯電話、あるいは、ＰＣ１から送信されてくる文書データを、暗号化チップ１６で暗号化して、ＨＤＤ１７に保存する。
【００７２】
その後は、ステップＳ１１の直前に戻って、最初からの動作を繰り返す。
【００７３】
ステップＳ１２でＮＯの場合は、ステップＳ１４で、ユーザーの携帯電話、あるいは、ＰＣ１から、パスワード付きで、特定の保存してある暗号化された文書データの印刷の指示があったかチェックし、ＹＥＳなら、ステップＳ１５で、指示されたパスワードが、暗号化された文書データ内に記録されているパスワードと一致したかチェックし、ＹＥＳなら、ステップＳ１６で、印刷を指示された暗号化された文書データを復号化チップ１６で復号化した後で、印刷を実行する。ステップＳ１５でＮＯなら、ステップＳ１７で、プリンタ２、４のパネル１８に「パスワード一致せず」と表示する。同時に、ユーザーの携帯電話、あるいは、ＰＣ１の表示装置上に「パスワード一致せず」と表示しても良い。
【００７４】
ステップＳ１６、ステップＳ１７のあとは、ステップＳ１１の直前に戻って、最初からの動作を繰り返す。
【００７５】
ステップＳ１４でＮＯの場合は、ステップＳ１８で、ユーザーの携帯電話、あるいは、ＰＣ１から、通常の印刷指示があったかチェックし、ＹＥＳなら、ステップＳ１９で、プリントコマンドを受信して、印刷を実行する。ステップＳ１８でＮＯなら、ステップＳ２０で、その他の動作を実行する。詳細は、図５のフローチャートで説明する。
【００７６】
ステップＳ１９、ステップＳ２０のあとは、ステップＳ１１の直前に戻って、最初からの動作を繰り返す。
【００７７】
図５は、図４のステップＳ２０の「その他の動作実行」の詳細を説明するためのフローチャートである。
【００７８】
まず、ステップＳ２１で、プリンタ２、４に設置されている定時のバックアップ時間を過ぎたかチェックし、ＹＥＳなら、ステップＳ２２で、ＨＤＤ１７内の暗号化された保存文書データを、情報家電３にバックアップする。その際、プリンタ２、４のシリアル番号も情報家電３に送信する。そして、リターンする。
【００７９】
ステップＳ２１でＮＯの場合は、ステップＳ２３で、プリンタ２、４に設定されている「文書データの保管期限」を過ぎた文書データの有無をチェックし、期限を過ぎた文書データがあった場合は、ステップＳ２４で、ＨＤＤ１７内の保管期限を過ぎた文書データを削除して、リターンする。
【００８０】
ステップＳ２３で、保管期限を過ぎた文書データがない場合は、ステップＳ２５で、バックアップされている旧プリンタの暗号化された文書データのリストアを指示されたかチェックし、ＹＥＳなら、ステップＳ２６で、情報家電３から、旧プリンタ２のシリアル番号に関連付けてバックアップされている暗号化された文書データをピックアップし、プリンタメーカーのサーバ５に送信する。その後ステップＳ２７でループを形成し、プリンタメーカーのサーバ５から、新プリンタ４用の暗号化された文書データが届くまで待ち、届いたなら、ステップＳ２８で、新プリンタ４用の暗号化された文書データを、ＨＤＤ１７内に保存して、リターンする。
【００８１】
ステップＳ２５でＮＯなら、ステップＳ２９で、その他の詳細動作を実行してから、リターンする。
【００８２】
図６は、情報家電３の動作を説明するためのフローチャートである。情報家電３も、電源オンと同時に動作を開始する。
【００８３】
まず、ステップＳ３１で、ユーザーが電源オフしたかチェックし、ＹＥＳなら、すべての動作を終了する。ＮＯなら、ステップＳ３２で、プリンタ２、４から、暗号化された文書データのバックアップ要求があったかチェックし、ＹＥＳなら、ステップＳ３３で、プリンタからの暗号化された文書データを、情報家電３内のＨＤＤ１７に保存する。このとき、プリンタのシリアル番号も保存する。その後は、ステップＳ３１の直前に戻り、最初からの動作を繰り返す。
【００８４】
ステップＳ３２でＮＯなら、ステップＳ３４で、プリンタ２、４から暗号化された文書データのピックアップ要求があったかチェックし、ＹＥＳなら、ステップＳ３５で、旧プリンタ２のシリアル番号に関連付けて保存してある暗号化された文書データを、プリンタに送信する。その後は、ステップＳ３１の直前に戻り、最初からの動作を繰り返す。
【００８５】
ステップＳ３４でＮＯなら、ステップＳ３６で、その他の動作を実行した後、ステップＳ３１の直前に戻り、最初からの動作を繰り返す。
【００８６】
図７は、プリンタメーカーのサーバ５の動作を説明するためのフローチャートである。プリンタメーカーのサーバ５も、サーバの管理者が電源オンすると同時に動作を開始する。
【００８７】
まず、ステップＳ４１で、サーバの管理者が電源オフしたかチェックし、ＹＥＳなら、すべての動作を終了する。ＮＯなら、ステップＳ４２で、ユーザーの携帯電話、あるいは、ＰＣ１から、プリンタのユーザー登録の依頼が届いたかチェックし、ＹＥＳなら、ステップＳ４３で、ユーザー情報（ユーザーの氏名、住所、電話番号、メールアドレス等。）とプリンタ２、４のシリアル番号を記録する。そして、ステップＳ４４で、今回のユーザー登録が、旧プリンタ２の新プリンタ４への置き換えかチェックし、ＹＥＳなら、ステップＳ４５で、新プリンタ４に対し、インターネット経由で、バックアップされている旧プリンタ２の暗号化された文書データのリストアを指示する。その際、旧プリンタ２のシリアル番号も送信する。
【００８８】
ステップＳ４４でＮＯの場合、あるいは、ステップＳ４５の後は、ステップＳ４１の直前に戻って、最初からの動作を繰り返す。
【００８９】
ステップＳ４２でＮＯの場合は、ステップＳ４６で、新プリンタ４から文書データの暗号化の変換要求があったかチェックし、ＹＥＳなら、ステップＳ４７で、旧プリンタ、新プリンタのシリアル番号から、使用している暗号化・復号化チップの設定を同定し、新プリンタ４から届いた、旧プリンタ２用の暗号化された文書データを復号化し、新プリンタ４用に再暗号化して、暗号化された文書データを作成し、新プリンタ４に返送する。
【００９０】
その後は、ステップＳ４１の直前に戻って、最初からの動作を繰り返す。
【実施例２】
【００９１】
実施例１では、ユーザーの携帯電話、あるいは、ＰＣ１から、プリンタメーカーのサーバ５に対して行う、新プリンタ４の「ユーザー登録」が、旧プリンタ２の暗号化された文書データを新プリンタ４に移し変えるきっかけになっているが、実施例２としては、ユーザーの携帯電話、あるいは、ＰＣ１から直接新プリンタ４に対して、旧プリンタ２の暗号化された文書データを新プリンタ４に移し変える指示をする、という形にする。
【００９２】
図８は、実施例２の原理の説明図であるが、実施例１の図１との違いは、図１の（４）と（５）を削除し、代わりに、図８では、（４）として、ユーザーの携帯電話、あるいは、ＰＣ１から直接新プリンタ４に対して、情報家電３にバックアップされている旧プリンタ２の暗号化されている文書データのリストアを指示する形にした。その際、旧プリンタ２のシリアル番号も、新プリンタ４に送信する。
【実施例３】
【００９３】
実施例１、実施例２では、プリンタメーカーのサーバ５において、旧プリンタ２用の暗号化された文書データから、新プリンタ４用の暗号化された文書データへの暗号化の変換を行っていた。実施例３としては、プリンタ２、４にだけ暗号化・復号化チップ１６を持つのではなく、情報家電３にも暗号化・復号化チップを持ち、また、プリンタ２、４と情報家電３をつなぐ家庭内ＬＡＮ等のネットワーク自体にも、暗号化機能を持っているとする。
【００９４】
このようにすると、暗号化・復号化は、それぞれの機器の中、ネットワークのケーブルの中、の閉じた世界で完結した形になるので、実施例１、実施例２のような「プリンタメーカーのサーバ５の中で、旧プリンタの暗号化された文書データを復号化し、新プリンタ用に暗号化する」作業は不要となる。プリンタメーカーのサーバ５自体も不要である。
【００９５】
この場合、ユーザーの携帯電話、あるいは、ＰＣ１から直接新プリンタ４に対して、情報家電３にバックアップされている旧プリンタ２の文書データを新プリンタ４に移し変える指示を行うことになる。
【００９６】
図９は、実施例３の原理の説明図である。
【００９７】
まず、ユーザーの携帯電話、あるいは、ＰＣ１から、プリンタ２に保存する文書データを、パスワード付で送信する。すると、プリンタ２は、暗号化チップ１６で暗号化して、ＨＤＤ１７内に保存する。その後、ユーザーが、携帯電話、あるいは、ＰＣ１から、プリンタ２内に保存されている特定の文書データの印刷を、パスワード付で指示して来たなら、まず、保存されている文書データのパスワード部分だけ復号化チップ１６で復号化して、ユーザーからのパスワードと一致したかチェックし、一致したなら、暗号化されている文書データ本体も、復号化チップ１６で復号化して、印刷を実行する。
【００９８】
ここまでは、実施例１、実施例２と同様である。
【００９９】
次に、プリンタ２に設定されている、「ＨＤＤ１７内に保存されている文書データを、情報家電３にバックアップする」時間になったなら、情報家電３に対しバックアップ開始を指示した上で、ＨＤＤ１７内の暗号化された文書データを復号化チップ１６で復号化して、情報家電３にＬＡＮ経由で送信する。
【０１００】
ＬＡＮ上では、ＬＡＮのネットワーク機能自体で暗号化を行って、情報家電３まで、文書データが届く。
【０１０１】
情報家電３に届いた文書データは、情報家電３に内蔵されている暗号化チップを用いて、独自に暗号化して、情報家電３内のＨＤＤに保存する。
【０１０２】
プリンタ２の故障等で、旧プリンタ２から新プリンタ４への入れ替えを行った後は、ユーザーの携帯電話、あるいは、ＰＣ１から、新プリンタ４に対して、情報家電にバックアップされている文書データのリストアの指示がある。このとき、旧プリンタ２のシリアル番号も、新プリンタ４に送信される。
【０１０３】
この指示を受けて、新プリンタ４は、情報家電３に対して、旧プリンタ２の文書データのピックアップを指示するが、情報家電３は、ＨＤＤ内の暗号化された文書データを、復号化チップで復号化して、ＬＡＮ経由で、新プリンタ４に送信する。このときも、ＬＡＮ上では、ＬＡＮのネットワーク機能自体で暗号化を行って、新プリンタ４まで、文書データが届く。
【０１０４】
新プリンタ４まで送信された文書データは、新プリンタ４内の暗号化チップ１６を使って暗号化され、新プリンタ４のＨＤＤ１７内に保存される。
【０１０５】
その後、ユーザーが、携帯電話、あるいは、ＰＣ１から、新プリンタ４内に保存されている特定の文書データの印刷を、パスワード付で指示して来たなら、まず、保存されている文書データのパスワード部分だけ復号化チップ１６で復号化して、ユーザーからのパスワードと一致したかチェックし、一致したなら、暗号化されている文書データ本体も、復号化チップ１６で復号化して、印刷を実行する。このときのパスワードは、旧プリンタ２で使用したパスワードと同一である。
【０１０６】
各構成要素の動作についても、ほとんどは、実施例１の場合と同じなので、異なる部分だけ説明する。
【０１０７】
図１０は、実施例１の図４のステップＳ２０「その他の動作実行」の、実施例２における動作の詳細を説明するためのフローチャートである。ほとんど同じなので、各ステップの番号も同じにしてある。
【０１０８】
まず、ステップＳ２１で、プリンタ２、４に設置されている定時のバックアップ時間を過ぎたかチェックし、ＹＥＳなら、ステップＳ２２で、ＨＤＤ１７内の暗号化された保存文書データを、一旦復号化して、情報家電３に送信してバックアップする。その際、プリンタ２、４のシリアル番号も情報家電３に送信する。そして、リターンする。
【０１０９】
ステップＳ２１でＮＯの場合は、ステップＳ２３で、プリンタ２、４に設定されている「文書データの保管期限」を過ぎた文書データの有無をチェックし、期限を過ぎた文書データがあった場合は、ステップＳ２４で、ＨＤＤ１７内の保管期限を過ぎた文書データを削除して、リターンする。
【０１１０】
ステップＳ２３で、保管期限を過ぎた文書データがない場合は、ステップＳ２５で、バックアップされている旧プリンタの暗号化された文書データのリストアを指示されたかチェックし、ＹＥＳなら、ステップＳ２６で、情報家電３から、旧プリンタ２のシリアル番号に関連付けてバックアップされている文書データをピックアップし、プリンタ４に送信するよう指示する。
【０１１１】
情報家電３から新プリンタ４までのＬＡＮ上も、ネットワーク独自の暗号化の機能を使った上で、文書データが新プリンタ４まで届く形になる。
【０１１２】
その後ステップＳ２７でループを形成し、情報家電３から新プリンタ４に文書データが届くまで待ち、届いたなら、ステップＳ２８で、新プリンタ４の暗号化チップ１６で文書データを暗号化して、ＨＤＤ１７内に保存して、リターンする。
【０１１３】
ステップＳ２５でＮＯなら、ステップＳ２９で、その他の詳細動作を実行してから、リターンする。
【０１１４】
図１１は、実施例２における情報家電の動作を説明するためのフローチャートである。実施例１の図６の動作とほとんど同じなので、各ステップの番号も同じにしてある。
【０１１５】
まず、ステップＳ３１で、ユーザーが電源オフしたかチェックし、ＹＥＳなら、すべての動作を終了する。ＮＯなら、ステップＳ３２で、プリンタ２、４から、文書データのバックアップ要求があったかチェックし、ＹＥＳなら、ステップＳ３３で、プリンタ２、４から送られてきた文書データを、情報家電３内の暗号化チップを用いて暗号化した上で、情報家電３内のＨＤＤ１７に保存する。このとき、プリンタのシリアル番号も保存する。その後は、ステップＳ３１の直前に戻り、最初からの動作を繰り返す。
【０１１６】
ステップＳ３２でＮＯなら、ステップＳ３４で、プリンタ２、４から文書データのピックアップ要求があったかチェックし、ＹＥＳなら、ステップＳ３５で、旧プリンタ２のシリアル番号に関連付けて保存してある暗号化された文書データを、情報家電３の復号化チップで復号化してから、新プリンタ４に送信する。その後は、ステップＳ３１の直前に戻り、最初からの動作を繰り返す。
【０１１７】
ステップＳ３４でＮＯなら、ステップＳ３６で、その他の動作を実行した後、ステップＳ３１の直前に戻り、最初からの動作を繰り返す。
【図面の簡単な説明】
【０１１８】
【図１】実施例１の原理の説明図
【図２】プリンタのブロック構成図
【図３】携帯電話、あるいは、ＰＣの動作を説明するためのフローチャート
【図４】プリンタの動作を説明するためのフローチャート
【図５】プリンタの動作を説明するためのフローチャート
【図６】情報家電の動作を説明するためのフローチャート
【図７】プリンタメーカーのサーバの動作を説明するためのフローチャート
【図８】実施例２の原理の説明図
【図９】実施例３の原理の説明図
【図１０】プリンタの動作を説明するためのフローチャート
【図１１】情報家電の動作を説明するためのフローチャート
【符号の説明】
【０１１９】
１  携帯電話、あるいは、ＰＣ
２  プリンタ
３  情報家電
４  プリンタ
５  プリンタメーカーのサーバ
１１  コントローラ部
１２  エンジン部
１３  ＣＰＵ
１４  ＲＯＭ
１５  ＲＡＭ
１６  暗号化・復号化チップ
１７  ＨＤＤ
１８  パネル
１９  ＮＶＲＡＭ
２０  コントローラ側通信部
２１  ビデオ信号変換部
２２  インターネット接続部
２３  外部インターフェース部
２４  ＣＰＵ
２５  ＲＯＭ
２６  ＲＡＭ
２７  エンジン側通信部
２８  ビデオ信号受信部
２９  給紙部
３０  現像・定着部
３１  排紙部
【図１】
2006209312.tif 000003
【図２】
2006209312.tif 000004
【図３】
2006209312.tif 000005
【図４】
2006209312.tif 000006
【図５】
2006209312.tif 000007
【図６】
2006209312.tif 000008
【図７】
2006209312.tif 000009
【図８】
2006209312.tif 000010
【図９】
2006209312.tif 000011
【図１０】
2006209312.tif 000012
【図１１】
2006209312.tif 000013